(57)【要約】  本開示は、タイミングシーケンス調整方法、基地局、端末および通信システムを提供する。タイミングシーケンス調整方法は、基地局が、端末のタイミングアドバンスを特定することと、基地局が、前記タイミングアドバンスに基づいて、端末のアップリンク信号の送信時間を調整することとを含む。本開示において、実際のＴＡ値に基づいて、端末のアップリンク信号送信時間を適応的に調整する。【選択図】  図２
2019527997.tif 000002
【特許請求の範囲】
【請求項１】
基地局が、端末のタイミングアドバンスを特定することと、
基地局が、前記タイミングアドバンスに基づいて、端末のアップリンク信号の送信時間を調整することとを含むタイミングシーケンス調整方法。
【請求項２】
前記アップリンク信号は、
端末が、基地局からアップリンクスケジューリング情報を受信した後に、前記アップリンクスケジューリング情報に応答するべく、基地局に送信するアップリンクデータを含み、
基地局が、前記タイミングアドバンスに基づいて、端末のアップリンク信号の送信時間を調整することは、
端末がアップリンクデータを送信する前に充分な時間でデータを処理するよう、基地局が、前記タイミングアドバンスに基づいて、端末が前記アップリンクスケジューリング情報を受信した後にアップリンクデータを送信する伝送時間間隔を調整することを含む請求項１に記載のタイミングシーケンス調整方法。
【請求項３】
前記アップリンク信号は、
端末が、基地局からダウンリンクスケジューリング情報およびダウンリンクデータを受信した後に、基地局にフィードバックする前記ダウンリンクデータの肯定応答または否定応答を含み、
基地局が、前記タイミングアドバンスに基づいて、端末の肯定応答または否定応答の送信時間を調整することは、
端末が前記肯定応答または否定応答を送信する前に充分な時間でデータを処理するよう、基地局が、前記タイミングアドバンスに基づいて、端末から前記肯定応答または否定応答を送信する伝送時間間隔を調整することを含む請求項１に記載のタイミングシーケンス調整方法。
【請求項４】
基地局が、端末のアップリンクデータの送信時間を調整することは、
基地局が、端末から前記アップリンクデータを送信する時間調整量Ｍを特定することと、
基地局が、前記時間調整量Ｍを含む調整情報を前記アップリンクスケジューリング情報で端末に送信することとを含み、
前記時間調整量Ｍは、ｍ（正整数）個の伝送時間間隔を示し、端末が前記アップリンクスケジューリング情報を受信した後に、ｍ個の伝送時間間隔を遅らせて前記アップリンクデータを送信し、または、端末が現在のＬＴＥシステムで定義されているアップリンクデータ送信の伝送時間間隔を基にｍ個の伝送時間間隔を遅らせて前記アップリンクデータを送信することを示す請求項２に記載のタイミングシーケンス調整方法。
【請求項５】
基地局が、端末の前記肯定応答または否定応答の送信時間を調整することは、
基地局が、端末から前記肯定応答または否定応答を送信する時間調整量Ｐを特定することと、
基地局が、前記時間調整量Ｐを含む調整情報を前記ダウンリンクスケジューリング情報で端末に送信することとを含み、
前記時間調整量Ｐは、ｐ（正整数）個の伝送時間間隔を示し、端末が前記ダウンリンクスケジューリング情報を受信した後に、ｐ個の伝送時間間隔を遅らせて前記肯定応答または否定応答を送信し、または、端末が現在のＬＴＥシステムで定義されている前記肯定応答または否定応答送信の伝送時間間隔を基にｐ個の伝送時間間隔を遅らせて前記肯定応答または否定応答を送信することを示す請求項３に記載のタイミングシーケンス調整方法。
【請求項６】
端末が、基地局からアップリンクスケジューリング情報またはダウンリンクスケジューリング情報を受信することと、
端末が、前記アップリンクスケジューリング情報またはダウンリンクスケジューリング情報に含まれるアップリンク信号の送信時間調整情報に基づいて、アップリンク信号を送信することとを含むタイミングシーケンス調整方法。
【請求項７】
前記アップリンク信号は、
端末が、基地局からアップリンクスケジューリング情報を受信した後に、前記アップリンクスケジューリング情報に応答するべく、基地局に送信するアップリンクデータを含み、
端末が、前記アップリンクデータの送信時間を特定することは、
端末が、基地局から送信されるアップリンクスケジューリング情報に基づいて、アップリンクデータの送信時間調整情報を取得し、前記調整情報から、前記アップリンクデータを送信する時間調整量Ｍを特定することを含み、ここで、前記時間調整量Ｍは、ｍ個の伝送時間間隔を示し、
端末が、アップリンクデータの送信時間調整情報に基づいて、アップリンクデータを送信することは、
端末が、前記時間調整量Ｍに基づいて、前記アップリンクスケジューリング情報を受信した後に、ｍ個の伝送時間間隔を遅らせて前記アップリンクデータを送信し、または、端末が、前記時間調整量Ｍに基づいて、現在のＬＴＥシステムで定義されているアップリンクデータ送信の伝送時間間隔を基にｍ個の伝送時間間隔を遅らせて前記アップリンクデータを送信することを含む請求項６に記載のタイミングシーケンス調整方法。
【請求項８】
端末は、前記アップリンクスケジューリング情報を受信した後に、前記時間調整量ＭおよびＴＡに基づいて、前記アップリンクデータを送信する請求項７に記載のタイミングシーケンス調整方法。
【請求項９】
前記アップリンク信号は、
端末が、基地局からダウンリンクスケジューリング情報およびダウンリンクデータを受信した後に、基地局にフィードバックする前記ダウンリンクデータの肯定応答または否定応答を含み、
端末が、前記肯定応答または否定応答の送信時間調整情報に基づいて、アップリンク信号を送信することは、
端末が、基地局から送信されるダウンリンクスケジューリング情報に基づいて、肯定応答または否定応答の送信時間調整情報を取得し、前記調整情報から、前記肯定応答または否定応答を送信する時間調整量Ｐを特定することを含み、ここで、前記時間調整量Ｐは、ｐ個の伝送時間間隔を示し、
端末が、肯定応答または否定応答の送信時間調整情報に基づいて、アップリンク信号を送信することは、
端末が、前記時間調整量Ｐに基づいて、前記ダウンリンクスケジューリング情報を受信した後に、ｐ個の伝送時間間隔を遅らせて前記肯定応答または否定応答を送信し、または、端末が、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信することを含む請求項７に記載のタイミングシーケンス調整方法。
【請求項１０】
前記ダウンリンクスケジューリング情報を受信した後に、端末は、前記時間調整量ＰおよびＴＡに基づいて、前記ダウンリンクデータの肯定応答または否定応答を送信する請求項９に記載のタイミングシーケンス調整方法。
【請求項１１】
端末のタイミングアドバンスを特定することに用いられる特定モジュールと、
前記タイミングアドバンスに基づいて、端末のアップリンク信号の送信時間を調整することに用いられる調整モジュールとを含む基地局。
【請求項１２】
前記アップリンク信号は、端末が、基地局からアップリンクスケジューリング情報を受信した後に、前記アップリンクスケジューリング情報に応答するべく、基地局に送信するアップリンクデータを含み、
前記調整モジュールは、
端末がアップリンクデータを送信する前に充分な時間でデータを処理するよう、前記タイミングアドバンスに基づいて、端末が前記アップリンクスケジューリング情報を受信した後にアップリンクデータを送信する伝送時間間隔を調整することに用いられる第１調整サブモジュールを含む請求項１１に記載の基地局。
【請求項１３】
前記アップリンク信号は、
端末が、基地局からダウンリンクスケジューリング情報およびダウンリンクデータを受信した後に、基地局にフィードバックする前記ダウンリンクデータの肯定応答または否定応答を含み、
前記調整モジュールは、
端末が前記肯定応答または否定応答を送信する前に充分な時間でデータを処理するよう、前記タイミングアドバンスに基づいて、端末から前記肯定応答または否定応答を送信する伝送時間間隔を調整することに用いられる第２調整サブモジュールを含む請求項１１に記載の基地局。
【請求項１４】
前記第１調整サブモジュールは、
端末から前記アップリンクデータを送信する時間調整量Ｍを特定することに用いられる第１特定ユニットと、
前記時間調整量Ｍを含む調整情報を前記アップリンクスケジューリング情報で端末に送信することに用いられる第１送信ユニットとを含み、
前記時間調整量Ｍは、ｍ（正整数）個の伝送時間間隔を示し、端末が前記アップリンクスケジューリング情報を受信した後に、ｍ個の伝送時間間隔を遅らせて前記アップリンクデータを送信し、または、端末が現在のＬＴＥシステムで定義されているアップリンクデータ送信の伝送時間間隔を基にｍ個の伝送時間間隔を遅らせて前記アップリンクデータを送信することを示す請求項１２に記載の基地局。
【請求項１５】
前記第２調整サブモジュールは、
端末から前記肯定応答または否定応答を送信する時間調整量Ｐを特定することに用いられる第２特定ユニットと、
前記時間調整量Ｐを含む調整情報を前記ダウンリンクスケジューリング情報で端末に送信することに用いられる第２送信ユニットとを含み、
前記時間調整量Ｐは、ｐ（正整数）個の伝送時間間隔を示し、端末が前記ダウンリンクスケジューリング情報を受信した後に、ｐ個の伝送時間間隔を遅らせて前記肯定応答または否定応答を送信し、または、端末が現在のＬＴＥシステムで定義されている前記肯定応答または否定応答送信の伝送時間間隔を基にｐ個の伝送時間間隔を遅らせて前記肯定応答または否定応答を送信することを示す請求項１３に記載の基地局。
【請求項１６】
基地局からアップリンクスケジューリング情報またはダウンリンクスケジューリング情報を受信することに用いられる受信モジュールと、
前記アップリンクスケジューリング情報またはダウンリンクスケジューリング情報に含まれるアップリンク信号の送信時間調整情報に基づいて、アップリンク信号を送信することに用いられる送信モジュールとを含む端末。
【請求項１７】
前記アップリンク信号は、
端末が、基地局からアップリンクスケジューリング情報を受信した後に、前記アップリンクスケジューリング情報に応答するべく、基地局に送信するアップリンクデータを含み、
前記受信モジュールは、
基地局から送信されるアップリンクスケジューリング情報に基づいて、アップリンクデータの送信時間調整情報を取得し、前記調整情報から、前記アップリンクデータを送信する時間調整量Ｍを特定することに用いられる第１受信サブモジュールを含み、ここで、前記時間調整量Ｍは、ｍ個の伝送時間間隔を示し、
前記送信モジュールは、
前記時間調整量Ｍに基づいて、前記アップリンクスケジューリング情報を受信した後に、ｍ個の伝送時間間隔を遅らせて前記アップリンクデータを送信し、または、前記時間調整量Ｍに基づいて、現在のＬＴＥシステムで定義されているアップリンクデータ送信の伝送時間間隔を基にｍ個の伝送時間間隔を遅らせて前記アップリンクデータを送信することに用いられる第１送信サブモジュールを含む請求項１６に記載の端末。
【請求項１８】
前記第１送信サブモジュールは、前記第１取得モジュールが前記アップリンクスケジューリング情報を受信した後に、前記時間調整量ＭおよびＴＡに基づいて、前記アップリンクデータを送信することに用いられる請求項１７に記載の端末。
【請求項１９】
前記アップリンク信号は、
端末が、基地局からダウンリンクスケジューリング情報およびダウンリンクデータを受信した後に、基地局にフィードバックする前記ダウンリンクデータの肯定応答または否定応答を含み、
前記受信モジュールは、さらに、
基地局から送信されるダウンリンクスケジューリング情報に基づいて、肯定応答または否定応答の送信時間調整情報を取得し、前記調整情報から、前記肯定応答または否定応答を送信する時間調整量Ｐを特定することに用いられる第２受信サブモジュールを含み、ここで、前記時間調整量Ｐは、ｐ個の伝送時間間隔を示し、
前記送信モジュールは、さらに、
前記時間調整量Ｐに基づいて、前記ダウンリンクスケジューリング情報を受信した後に、ｐ個の伝送時間間隔を遅らせて前記肯定応答または否定応答を送信し、または、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信することに用いられる第２送信サブモジュールを含む請求項１６に記載の端末。
【請求項２０】
前記第２送信サブモジュールは、前記第２取得モジュールが前記ダウンリンクスケジューリング情報を受信した後に、前記時間調整量ＰおよびＴＡに基づいて、前記ダウンリンクデータの肯定応答または否定応答を送信することに用いられる請求項１９に記載の端末。
【請求項２１】
請求項１１〜１５のいずれか一項に記載の基地局および請求項１６〜２０のいずれか一項に記載の端末を含む通信システム。
【請求項２２】
プロセッサと、
バスインタフェースを介して前記プロセッサに接続され、前記プロセッサによる操作実行に用いられるプログラムとデータを記憶するために用いられるメモリと、
伝送媒体で各種類の他機器と通信することに用いられるトランシーバとを含む基地局において、
前記プロセッサが、前記メモリに格納されているプログラムとデータを呼び出して実行すると、
端末のタイミングアドバンスを特定することと、
前記タイミングアドバンスに基づいて、端末のアップリンク信号の送信時間を調整することとを実行する基地局。
【請求項２３】
プロセッサと、
バスインタフェースを介して前記プロセッサに接続され、前記プロセッサによる操作実行に用いられるプログラムとデータを記憶するために用いられるメモリと、
伝送媒体で各種類の他機器と通信することに用いられるトランシーバとを含む端末において、
前記プロセッサが、前記メモリに格納されているプログラムとデータを呼び出して実行すると、
基地局からアップリンクスケジューリング情報またはダウンリンクスケジューリング情報を受信することと、
前記アップリンクスケジューリング情報またはダウンリンクスケジューリング情報に含まれるアップリンク信号の送信時間調整情報に基づいて、アップリンク信号を送信することとを実行する端末。
【発明の詳細な説明】
【技術分野】
【０００１】
本願は、２０１６年８月１１日に中国特許庁に提出された中国特許出願２０１６１０６５９２８６．３の優先権を主張し、その全ての内容が援用によりここに取り込まれる。
本開示は、通信分野に係り、特にタイミングシーケンス調整方法、基地局、端末および通信システムに係る。
【背景技術】
【０００２】
ＬＴＥ（登録商標）（Ｌｏｎｇ  Ｔｅｒｍ  Ｅｖｏｌｕｔｉｏｎ）技術は、ＦＤＤ（周波数分割複信）とＴＤＤ（時分割複信）の２種類の複信方式をサポート可能である。ＴＤＤ方式とは、アップリンク／ダウンリンクでは同一の動作バンドが用いられ、アップリンク／ダウンリンク信号の伝送が異なる時刻で行われる。ＦＤＤ方式とは、アップリンク／ダウンリンクでは異なる動作バンドが用いられ、アップリンク／ダウンリンク信号の伝送が同一時刻で異なる周波数の搬送波において行われる。
【０００３】
ＬＴＥシステムのＦＤＤ方式とＴＤＤ方式において、１つの無線フレームは、その長さが１０ｍｓであり、１０つの長さ１ｍｓのサブフレームを含む。
【０００４】
ＴＤＤ方式の無線フレームに対し、表１に示すように、７種類のＴＤＤアップリンク／ダウンリンクサブフレーム構成が定義されている。表１において、Ｄは、ダウンリンクサブフレームを示し、Ｕは、アップリンクサブフレームを示し、Ｓは、スペシャルサブフレームを示す。
【表１】
2019527997.tif 000003
【０００５】
ユーザの伝送レート向上のために、ＬＴＥ強化（ＬＴＥ−Ａ）技術が提案されている。ＬＴＥ−Ａ  ＴＤＤシステムにおいて、ＨＡＲＱ（Ｈｙｂｒｉｄ  Ａｕｔｏｍａｔｉｃ  Ｒｅｐｅａｔ  Ｒｅｑｕｅｓｔ）伝送タイミングがＬＴＥとは同じであり、ダウンリンクデータのＨＡＲＱプロセスとアップリンクデータのＨＡＲＱプロセスが含まれる。アップリンクデータのＨＡＲＱプロセスにおいて、基地局は、ＵＥにＰＤＣＣＨ（Ｐｈｙｓｉｃａｌ  Ｄｏｗｎｌｉｎｋ  Ｃｏｎｔｒｏｌ  Ｃｈａｎｎｅｌ）を送信することによってＰＵＳＣＨ（Ｐｈｙｓｉｃａｌ  Ｕｐｌｉｎｋ  Ｓｈａｒｅｄ  Ｃｈａｎｎｅｌ）リソースをスケジューリングするが、ＵＥは、ＰＤＣＣＨを受信すると、ＰＤＣＣＨとＰＵＳＣＨのタイミング関係にしたがって、当該ＰＤＣＣＨによって指定されるＰＵＳＣＨチャネルでアップリンクデータを伝送する。
【０００６】
ＰＤＣＣＨとＰＵＳＣＨのタイミング関係、すなわちＰＵＳＣＨスケジューリングのタイミング関係において、ＵＥがダウンリンクサブフレームｎでＰＤＣＣＨを受信するとすると、当該ＰＤＣＣＨは、アップリンクサブフレームｎ＋ｋ内のＰＵＳＣＨを制御する。ここでｋの値は、表２で定義される。具体的に、アップリンク／ダウンリンク構成１〜６の場合、アップリンクサブフレームの数がダウンリンクサブフレームより少なく、唯一のＨＡＲＱ伝送タイミングを構成することができるが、表２で反映されているように、１つのダウンリンクサブフレームにおいて、ＰＵＳＣＨのスケジューリングが行われず、または、１つのアップリンクサブフレーム内のＰＵＳＣＨのスケジューリングしかできない。アップリンク／ダウンリンク構成０の場合、アップリンクサブフレームの数がダウンリンクサブフレームより多く、各ダウンリンクサブフレームのＰＤＣＣＨにおいて、２つのアップリンクサブフレームのＰＵＳＣＨのスケジューリングを可能にする必要があるため、ＰＤＣＣＨにおいて、２つのアップリンクサブフレームのＰＵＳＣＨのスケジューリングを、ＵＬ  Ｉｎｄｅｘ（アップリンク番号を示す）でサポートする。
【表２】
2019527997.tif 000004
【０００７】
アップリンク／ダウンリンク構成０の場合、ＰＵＳＣＨをスケジューリングするＰＤＣＣＨでのＵＬ  Ｉｎｄｅｘ指示が３種類あり、そのうちの２種類は、単一サブフレームでのＰＵＳＣＨをスケジューリングし、ＵＬ  Ｉｎｄｅｘの２ビットのうち１ビットのみが１であることによって指示されるが、もう１種類は、２つのサブフレームのＰＵＳＣＨを１回でスケジューリングし、ＵＬ  Ｉｎｄｅｘの２ビットがすべて１であることによって指示される。図１に示すように、ＵＥがダウンリンクサブフレーム０でＰＤＣＣＨを受信し、ＵＬ  ＩｎｄｅｘのＭＳＢが「１」であると、アップリンクサブフレーム４のＰＵＳＣＨをスケジューリングし、ＵＬ  ＩｎｄｅｘのＬＳＢが「１」であると、アップリンクサブフレーム７のＰＵＳＣＨをスケジューリングし、ＵＬ  ＩｎｄｅｘのＭＳＢとＬＳＢがすべて「１」であると、アップリンクサブフレーム４とアップリンクサブフレーム７のＰＵＳＣＨをスケジューリングする。ＵＥがダウンリンクサブフレーム１でＰＤＣＣＨを受信し、ＵＬ  ＩｎｄｅｘのＭＳＢが「１」であると、アップリンクサブフレーム７のＰＵＳＣＨをスケジューリングし、ＵＬ  ＩｎｄｅｘのＬＳＢが「１」であると、アップリンクサブフレーム８のＰＵＳＣＨをスケジューリングし、ＵＬ  ＩｎｄｅｘのＭＳＢとＬＳＢがすべて「１」であると、アップリンクサブフレーム７とアップリンクサブフレーム８のＰＵＳＣＨをスケジューリングする。
【０００８】
ダウンリンクデータのＨＡＲＱプロセスにおいて、基地局は、ＵＥにＰＤＳＣＨ（Ｐｈｙｓｉｃａｌ  Ｄｏｗｎｌｉｎｋ  ＳｈａｒｅｄＣｈａｎｎｅｌ）を送信するが、ＵＥは、ＰＤＳＣＨを受信すると、ＰＤＳＣＨとＰＵＳＣＨ／ＰＵＣＣＨのタイミング関係に基づいて、ＰＤＳＣＨのＨＡＲＱ−ＡＣＫ（ハイブリッド自動再送要求の肯定応答）をＰＵＳＣＨまたはＰＵＣＣＨ（Ｐｈｙｓｉｃａｌ  Ｕｐｌｉｎｋ  Ｃｏｎｔｒｏｌ  Ｃｈａｎｎｅｌ）でフィードバックする。
【０００９】
ＰＤＳＣＨとＰＵＳＣＨ／ＰＵＣＣＨのタイミング関係、すなわちＰＤＳＣＨでＨＡＲＱ−ＡＣＫをフィードバックするタイミング関係において、ＵＥがアップリンクサブフレームｎのＰＵＣＣＨ／ＰＵＳＣＨでＨＡＲＱ−ＡＣＫをフィードバックするとすると、当該ＰＵＣＣＨ／ＰＵＳＣＨは、ダウンリンクサブフレームｎ−ｋのＰＤＳＣＨのＨＡＲＱ−ＡＣＫ情報またはＳＰＳ解放のＨＡＲＱ−ＡＣＫ情報を指示する。ここでｋ（∈Ｋ）の値は、表３で定義される。Ｋは、Ｍ個の要素の集合｛ｋ０，ｋ１，…，ｋＭ−１｝であり、サブフレーム番号およびアップリンク／ダウンリンク構成に関係し、ダウンリンク関連集合と称され、要素ｋは、ダウンリンク関連番号と称される。本開示において、ダウンリンク関連集合に対応するダウンリンクサブフレーム集合を単にバインディングウィンドウと称する。すなわち、Ｋの中のすべての要素ｋのうち、ｎ−ｋからなる集合をバインディングウィンドウ｛ｎ−ｋ，ｋ∈Ｋ｝と称し、バインディングウィンドウ内の要素の数がバインディングウィンドウのサイズである。
【表３】
2019527997.tif 000005
【００１０】
アップリンク／ダウンリンク構成１〜６の場合、アップリンクサブフレームの数がダウンリンクサブフレーム以下であり、１つのアップリンクサブフレームは、複数のダウンリンクサブフレームのＰＤＳＣＨのＨＡＲＱ−ＡＣＫのフィードバックが可能である。アップリンクサブフレームのＰＵＳＣＨのスケジューリングが行われる度に、当該アップリンクサブフレームでフィードバックされるＨＡＲＱ−ＡＣＫに対応するダウンリンクサブフレーム数は、ＰＤＣＣＨでＵＬ  ＤＡＩ（アップリンク番号を示し、上記ＵＬ  Ｉｎｄｅｘに似る。）によって指示される。ＵＥは、ＵＬ  ＤＡＩ情報を把握すると、より効果的な方式によって、ＰＤＳＣＨのＨＡＲＱ−ＡＣＫに対しＰＵＳＣＨ符号化を行う。ＵＬ  ＤＡＩは、ＵＬ  Ｉｎｄｅｘとは同一のフィールドに対応し、２ビットを含む。アップリンク／ダウンリンクデータのＨＡＲＱプロセスは、アップリンク／ダウンリンク構成０のタイミングシーケンスに従った場合、当該フィールドの２ビットは、ＵＬ  Ｉｎｄｅｘに用いられるが、アップリンク／ダウンリンクデータのＨＡＲＱプロセスは、アップリンク／ダウンリンク構成１〜６のタイミングシーケンスに従った場合、当該フィールドの２ビットは、ＵＬ  ＤＡＩに用いられる。
【００１１】
ＬＴＥシステムのＦＤＤ方式において、端末は、サブフレームｎ−４でダウンリンクデータを受信し、アップリンクサブフレームｎによって、当該ダウンリンクサブフレームでのデータの再送要否のシグナリング、すなわちＡＣＫ／ＮＡＣＫ情報をフィードバックし、ＰＤＳＣＨＨＡＲＱ（Ｐｈｙｓｉｃａｌ  Ｄｏｗｎｌｉｎｋ  Ｓｈａｒｅｄ  Ｃｈａｎｎｅｌ．Ｈｙｂｒｉｄ  Ａｕｔｏｍａｔｉｃ  Ｒｅｐｅａｔ  ｒｅＱｕｅｓｔ）フィードバックとも称される。
【００１２】
異なる位置の端末側のデータが基地局に達する時間を基地局のタイミングシーケンスに一致させるには、端末のデータ送信において、タイミングアドバンスＴＡ（ｔｉｍｉｎｇ  ａｄｖａｎｃｅ）が必要である。ＴＡの値は、端末と基地局との距離によって決められる。現在のＬＴＥシステムにおいて、ＴＡの最大値は、０．６７ｍｓを取り、約９〜１０個のＯＦＤＭシンボルである。基地局のカバーおよびアップリンク同期を保証するために、端末で現在のＴＡの値の範囲のサポートが必要である。
【００１３】
従来技術でＬＴＥに用いられるＴＴＩが通常１ｍｓであり、以上紹介したサブフレームの時間の長さとは一致しているため、タイミングシーケンスとして揃いやすい。技術の発展につれて、ＬＴＥシステムにおいても、短縮ＴＴＩによる通信が行われ始めている。短縮ＴＴＩの長さは、通常７つのＯＦＤＭシンボルまたは２つのＯＦＤＭシンボルであり、従来の１ｍｓのＴＴＩより短い。通信システムにおいて短縮ＴＴＩで信号を伝送する場合、端末からアップリンク信号を送信するタイミングシーケンスが変更し、現在のＴＡに求められるタイミングシーケンスに一致しなくなる。短縮ＴＴＩで信号を伝送する場合、従来技術より、端末のアップリンク信号送信が早く行われる。ＴＡの値が比較的大きい場合、端末のデータ処理時間が充分ではない可能性があり、端末からアップリンク信号送信ができない問題に繋がる。
【発明の概要】
【発明が解決しようとする課題】
【００１４】
従来技術の通信システムにおいて、タイミングアドバンスＴＡが比較的大きい場合、短縮ＴＴＩ構成を用いれば、端末のアップリンク信号送信のために充分な時間を有しない可能性がある。そこで、本開示は、それを解決する手段を提案する。
【課題を解決するための手段】
【００１５】
本開示の実施例の第１態様において、本開示は、タイミングシーケンス調整方法を提供する。当該方法において、基地局が、端末のタイミングアドバンスを特定することと、基地局が、前記タイミングアドバンスに基づいて、端末のアップリンク信号の送信時間を調整することとを含む。
【００１６】
１つの可能な実施例において、前記アップリンク信号は、端末が、基地局からアップリンクスケジューリング情報を受信した後に、当該アップリンクスケジューリング情報に応答するべく、基地局に送信するアップリンクデータを含む。基地局が、前記タイミングアドバンスに基づいて、端末のアップリンク信号の送信時間を調整することは、端末がアップリンクデータを送信する前に充分な時間でデータを処理するよう、基地局が、前記タイミングアドバンスに基づいて、端末が前記アップリンクスケジューリング情報を受信した後にアップリンクデータを送信する伝送時間間隔を調整することを含む。
【００１７】
１つの可能な実施例において、前記アップリンク信号は、端末が、基地局からダウンリンクスケジューリング情報およびダウンリンクデータを受信した後に、基地局にフィードバックする前記ダウンリンクデータの肯定応答または否定応答を含む。基地局が、前記タイミングアドバンスに基づいて、端末の肯定応答または否定応答の送信時間を調整することは、端末が前記肯定応答または否定応答を送信する前に充分な時間でデータを処理するよう、基地局が、前記タイミングアドバンスに基づいて、端末から前記肯定応答または否定応答を送信する伝送時間間隔を調整することを含む。
【００１８】
１つの可能な実施例において、基地局が、端末のアップリンクデータの送信時間を調整することは、基地局が、端末から前記アップリンクデータを送信する時間調整量Ｍを特定することと、基地局が、前記時間調整量Ｍを含む調整情報を前記アップリンクスケジューリング情報で端末に送信することとを含む。前記時間調整量Ｍは、ｍ（正整数）個の伝送時間間隔を示し、端末が前記アップリンクスケジューリング情報を受信した後に、ｍ個の伝送時間間隔を遅らせて前記アップリンクデータを送信し、または、端末が現在のＬＴＥシステムで定義されている前記アップリンクデータ送信の伝送時間間隔を基にｍ個の伝送時間間隔を遅らせて前記アップリンクデータを送信することを示す。
【００１９】
１つの可能な実施例において、基地局が、端末の前記肯定応答または否定応答の送信時間を調整することは、基地局が、端末から前記肯定応答または否定応答を送信する時間調整量Ｐを特定することと、基地局が、前記時間調整量Ｐを含む調整情報を前記ダウンリンクスケジューリング情報で端末に送信することとを含む。前記時間調整量Ｐは、ｐ（正整数）個の伝送時間間隔を示し、端末が前記ダウンリンクスケジューリング情報を受信した後に、ｐ個の伝送時間間隔を遅らせて前記肯定応答または否定応答を送信し、または、端末が現在のＬＴＥシステムで定義されている前記肯定応答または否定応答送信の伝送時間間隔を基にｐ個の伝送時間間隔を遅らせて前記肯定応答または否定応答を送信することを示す。
【００２０】
本開示の実施例の第２態様において、本開示は、タイミングシーケンス調整方法を提供する。当該方法において、端末が、基地局からアップリンクスケジューリング情報またはダウンリンクスケジューリング情報を受信することと、端末が、前記アップリンクスケジューリング情報またはダウンリンクスケジューリング情報に含まれるアップリンク信号の送信時間調整情報に基づいて、アップリンク信号を送信することとを含む。
【００２１】
１つの可能な実施例において、前記アップリンク信号は、端末が、基地局からアップリンクスケジューリング情報を受信した後に、当該アップリンクスケジューリング情報に応答するべく、基地局に送信するアップリンクデータを含む。端末が、前記アップリンクデータの送信時間を特定することは、端末が、基地局から送信されるアップリンクスケジューリング情報に基づいて、アップリンクデータの送信時間調整情報を取得し、当該調整情報から、前記アップリンクデータを送信する時間調整量Ｍを特定することを含む。ここで、前記時間調整量Ｍは、ｍ個の伝送時間間隔を示す。端末が、アップリンクデータの送信時間調整情報に基づいて、アップリンクデータを送信することは、端末が、前記時間調整量Ｍに基づいて、前記アップリンクスケジューリングメッセージを受信した後に、ｍ個の伝送時間間隔を遅らせて前記アップリンクデータを送信し、または、端末が、前記時間調整量Ｍに基づいて、現在のＬＴＥシステムで定義されているアップリンクデータ送信の伝送時間間隔を基にｍ個の伝送時間間隔を遅らせて前記アップリンクデータを送信することを含む。
【００２２】
１つの可能な実施例において、端末は、前記アップリンクスケジューリングメッセージを受信した後に、前記時間調整量ＭおよびＴＡに基づいて、前記アップリンクデータを送信する。
【００２３】
１つの可能な実施例において、前記アップリンク信号は、端末が、基地局からダウンリンクスケジューリング情報およびダウンリンクデータを受信した後に、基地局にフィードバックする前記ダウンリンクデータの肯定応答または否定応答を含む。端末が、前記肯定応答または否定応答の送信時間調整情報に基づいて、アップリンク信号を送信することは、端末が、基地局から送信されるダウンリンクスケジューリング情報に基づいて、肯定応答または否定応答の送信時間調整情報を取得し、当該調整情報から、前記肯定応答または否定応答を送信する時間調整量Ｐを特定することを含む。ここで、前記時間調整量Ｐは、ｐ個の伝送時間間隔を示す。端末が、肯定応答または否定応答の送信時間調整情報に基づいて、アップリンク信号を送信することは、端末が、前記時間調整量Ｐに基づいて、前記ダウンリンクスケジューリングメッセージを受信した後に、ｐ個の伝送時間間隔を遅らせて前記肯定応答または否定応答を送信し、または、端末が、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信することを含む。
【００２４】
１つの可能な実施例において、前記ダウンリンクスケジューリングメッセージを受信した後に、端末は、前記時間調整量ＰおよびＴＡに基づいて、前記ダウンリンクデータの肯定応答または否定応答を送信する。
【００２５】
本開示の実施例の第３態様において、本開示は、基地局を提供する。当該基地局は、端末のタイミングアドバンスを特定することに用いられる特定モジュールと、前記タイミングアドバンスに基づいて、端末のアップリンク信号の送信時間を調整することに用いられる調整モジュールとを含む。
【００２６】
１つの可能な実施例において、前記アップリンク信号は、端末が、基地局からアップリンクスケジューリング情報を受信した後に、当該アップリンクスケジューリング情報に応答するべく、基地局に送信するアップリンクデータを含む。前記調整モジュールは、端末がアップリンクデータを送信する前に充分な時間でデータを処理するよう、前記タイミングアドバンスに基づいて、端末が前記アップリンクスケジューリング情報を受信した後にアップリンクデータを送信する伝送時間間隔を調整することに用いられる第１調整サブモジュールを含む。
【００２７】
１つの可能な実施例において、前記アップリンク信号は、端末が、基地局からダウンリンクスケジューリング情報およびダウンリンクデータを受信した後に、基地局にフィードバックする前記ダウンリンクデータの肯定応答または否定応答を含む。前記調整モジュールは、端末が前記肯定応答または否定応答を送信する前に充分な時間でデータを処理するよう、前記タイミングアドバンスに基づいて、端末から前記肯定応答または否定応答を送信する伝送時間間隔を調整することに用いられる第２調整サブモジュールを含む。
【００２８】
１つの可能な実施例において、前記第１調整サブモジュールは、具体的に、端末から前記アップリンクデータを送信する時間調整量Ｍを特定することに用いられる第１特定ユニットと、前記時間調整量Ｍを含む調整情報を前記アップリンクスケジューリング情報で端末に送信することに用いられる第１送信ユニットとを含む。前記時間調整量Ｍは、ｍ（正整数）個の伝送時間間隔を示し、端末が前記アップリンクスケジューリング情報を受信した後に、ｍ個の伝送時間間隔を遅らせて前記アップリンクデータを送信し、または、端末が現在のＬＴＥシステムで定義されている前記アップリンクデータ送信の伝送時間間隔を基にｍ個の伝送時間間隔を遅らせて前記アップリンクデータを送信することを示す。
【００２９】
１つの可能な実施例において、前記第２調整サブモジュールは、端末から前記肯定応答または否定応答を送信する時間調整量Ｐを特定することに用いられる第２特定ユニットと、前記時間調整量Ｐを含む調整情報を前記ダウンリンクスケジューリング情報で端末に送信することに用いられる第２送信ユニットとを含む。前記時間調整量Ｐは、ｐ（正整数）個の伝送時間間隔を示し、端末が前記ダウンリンクスケジューリング情報を受信した後に、ｐ個の伝送時間間隔を遅らせて前記肯定応答または否定応答を送信し、または、端末が現在のＬＴＥシステムで定義されている前記肯定応答または否定応答送信の伝送時間間隔を基にｐ個の伝送時間間隔を遅らせて前記肯定応答または否定応答を送信することを示す。
【００３０】
本開示の実施例の第４態様において、本開示は、端末を提供する。当該端末は、基地局からアップリンクスケジューリング情報またはダウンリンクスケジューリング情報を受信することに用いられる受信モジュールと、前記アップリンクスケジューリング情報またはダウンリンクスケジューリング情報に含まれるアップリンク信号の送信時間調整情報に基づいて、アップリンク信号を送信することに用いられる送信モジュールとを含む。
【００３１】
１つの可能な実施例において、前記アップリンク信号は、端末が、基地局からアップリンクスケジューリング情報を受信した後に、当該アップリンクスケジューリング情報に応答するべく、基地局に送信するアップリンクデータを含む。前記受信モジュールは、基地局から送信されるアップリンクスケジューリング情報に基づいて、アップリンクデータの送信時間調整情報を取得し、当該調整情報から、前記アップリンクデータを送信する時間調整量Ｍを特定することに用いられる第１受信サブモジュールを含む。ここで、前記時間調整量Ｍは、ｍ個の伝送時間間隔を示す。前記送信モジュールは、前記時間調整量Ｍに基づいて、前記アップリンクスケジューリングメッセージを受信した後に、ｍ個の伝送時間間隔を遅らせて前記アップリンクデータを送信し、または、前記時間調整量Ｍに基づいて、現在のＬＴＥシステムで定義されているアップリンクデータ送信の伝送時間間隔を基にｍ個の伝送時間間隔を遅らせて前記アップリンクデータを送信することに用いられる第１送信サブモジュールを含む。
【００３２】
１つの可能な実施例において、前記第１送信サブモジュールは、具体的に、前記第１取得モジュールが前記アップリンクスケジューリングメッセージを受信した後に、前記時間調整量ＭおよびＴＡに基づいて、前記アップリンクデータを送信することに用いられる。
【００３３】
１つの可能な実施例において、前記アップリンク信号は、端末が、基地局からダウンリンクスケジューリング情報およびダウンリンクデータを受信した後に、基地局にフィードバックする前記ダウンリンクデータの肯定応答または否定応答を含む。前記受信モジュールは、さらに、基地局から送信されるダウンリンクスケジューリング情報に基づいて、肯定応答または否定応答の送信時間調整情報を取得し、当該調整情報から、前記肯定応答または否定応答を送信する時間調整量Ｐを特定することに用いられる第２受信サブモジュールを含む。ここで、前記時間調整量Ｐは、ｐ個の伝送時間間隔を示す。前記送信サブモジュールは、さらに、前記時間調整量Ｐに基づいて、前記ダウンリンクスケジューリングメッセージを受信した後に、ｐ個の伝送時間間隔を遅らせて前記肯定応答または否定応答を送信し、または、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信することに用いられる第２送信サブモジュールを含む。
【００３４】
１つの可能な実施例において、前記第２送信サブモジュールは、具体的に、前記第２取得モジュールが前記ダウンリンクスケジューリングメッセージを受信した後に、前記時間調整量ＰおよびＴＡに基づいて、前記ダウンリンクデータの肯定応答または否定応答を送信することに用いられる。
【００３５】
本開示の実施例の第５態様において、本開示は、上記基地局および上記端末を含む通信システムを提供する。
【００３６】
本開示の実施例の第６態様において、本開示は、プロセッサと、バスインタフェースを介して前記プロセッサに接続され、前記プロセッサによる操作実行に用いられるプログラムとデータを記憶するために用いられるメモリと、伝送媒体で各種類の他機器と通信することに用いられるトランシーバとを含む基地局を提供する。前記プロセッサが、前記メモリに格納されているプログラムとデータを呼び出して実行すると、前記基地局は、端末のタイミングアドバンスを特定することと、前記タイミングアドバンスに基づいて、端末のアップリンク信号の送信時間を調整することとを実行する。
【００３７】
本開示の実施例の第７態様において、本開示は、プロセッサと、バスインタフェースを介して前記プロセッサに接続され、前記プロセッサによる操作実行に用いられるプログラムとデータを記憶するために用いられるメモリと、伝送媒体で各種類の他機器と通信することに用いられるトランシーバとを含む端末を提供する。前記プロセッサが、前記メモリに格納されているプログラムとデータを呼び出して実行すると、前記端末は、基地局からアップリンクスケジューリング情報またはダウンリンクスケジューリング情報を受信することと、前記アップリンクスケジューリング情報またはダウンリンクスケジューリング情報に含まれるアップリンク信号の送信時間調整情報に基づいて、アップリンク信号を送信することとを実行する。
【発明の効果】
【００３８】
本開示は、従来の通信システムでのＴＡ設定に基づいて、端末のアップリンク信号の送信時間を適応的に調整することによって、端末が短縮ＴＴＩで送信する構成でも依然として現在のＴＡタイミングシーケンスに求められるアップリンク信号を送信する。同時に、本開示の調整手段は、端末のアップリンク信号送信時間を遅らせることもでき、充分なデータ処理時間を取得し、データ処理が迅速でないためアップリンク信号送信が失敗する現象を避ける。
【図面の簡単な説明】
【００３９】
【図１】図１は、ＴＤＤのフレーム構造図である。
【図２】図２は、本開示のタイミングシーケンス調整方法の基地局側フローチャートである。
【図３】図３は、本開示のタイミングシーケンス調整方法における基地局と端末のタイミングシーケンス対応図である。
【図４】図４は、本開示のタイミングシーケンス調整方法における基地局と端末のタイミングシーケンス対応図である。
【図５】図５は、本開示のタイミングシーケンス調整方法における基地局と端末のタイミングシーケンス対応図である。
【図６】図６は、本開示のタイミングシーケンス調整方法の端末側フローチャートである。
【図７】図７は、本開示の基地局の構造図である。
【図８】図８は、本開示の端末の構造図である。
【発明を実施するための形態】
【００４０】
本開示の解決しようとする技術課題、技術手段および利点をより明確にするために、以下図面および具体的な実施例に関連して詳細に記載する。
【００４１】
従来技術の通信システムのタイミングアドバンスＴＡが比較的大きい場合、短縮ＴＴＩ構成が用いられると、端末からのアップリンク信号送信ができない可能性があるという問題に対し、本開示は、その解決手段を提案する。
【００４２】
一態様として、本開示の実施例の基地局側のタイミングシーケンス調整方法において、図２に示すように、基地局が、端末のタイミングアドバンスＴＡを特定するステップ２１と、基地局が、前記タイミングアドバンスＴＡに基づいて、端末のアップリンク信号の送信時間を調整するステップ２２とを含む。
【００４３】
本実施例の方法は、実際のＴＡの値に基づいて、端末のアップリンク信号送信時間を動的に調整することによって、端末が充分なデータ処理時間を合理的に取得できるようにし、端末自身の処理力不足によりアップリンク信号送信ができない問題を避ける。
【００４４】
さらに、本実施例において、短縮ＴＴＩで通信し、現在のＬＴＥシステムで定義されているスケジューリングタイミングシーケンスに基づいて、短縮ＴＴＩの端末がアップリンクスケジューリング情報またはダウンリンクデータを受信してからアップリンク信号をもっと早く送信するようにスケジューリングし、端末の処理時間を低下させる。そのため、本実施例は、端末のアップリンク信号送信時間を遅らせることができ、端末に充分な処理時間を与えることによって、アップリンク信号の送信失敗を避けることができる。
【００４５】
以下、本実施例のタイミングシーケンス調整方法を例示的に紹介する。
【００４６】
実際の応用において、本実施例のアップリンク信号は、端末が、基地局からアップリンクスケジューリング情報を受信した後に、当該アップリンクスケジューリング情報に応答するべく、基地局に送信するアップリンクデータである。
【００４７】
すなわち、全体的伝送プロセスにおいて、まず基地局から端末にアップリンクスケジューリング情報を送信し、端末が当該アップリンクスケジューリング情報を受信すると、当該アップリンクスケジューリング情報からアップリンクデータ送信のスケジューリング情報を抽出し、それから当該スケジューリング情報に基づいてアップリンクデータを基地局に送信する。明らかに、当該プロセスの伝送経路は、基地局→端末→基地局である。したがって、対応するタイミングアドバンスＴＡは、基地局から端末へのアップリンクスケジューリング情報伝送にかかる時間と、端末から基地局へのアップリンクデータ伝送にかかる時間との和である。
【００４８】
以上の背景技術での紹介から分かるように、本実施例は、端末がアップリンクデータを送信する前に充分な時間でデータを処理するよう、端末のアップリンクデータ送信時間を遅らせる必要がある。
【００４９】
そのため、１つの可能な実現手段として、本実施例は、端末から前記アップリンクデータを送信する時間調整量Ｍを特定する。当該時間調整量Ｍは、ｍ（正整数）個の伝送時間間隔を示す。その後、基地局は、当該時間調整量Ｍを含む調整情報をアップリンクスケジューリング情報で端末に送信する。よって、端末は、アップリンクスケジューリング情報に基づいて時間調整量Ｍを特定し、当該時間調整量ＭおよびＴＡ値に基づいて、端末のアップリンクデータ送信時間を特定する。
【００５０】
なお、本実施例において、時間調整量Ｍは、端末が最終的にアップリンクデータを遅らせて送信する時間を特定することに用いられる。実際の応用において、本実施例の時間調整量Ｍは、その意味が異なれば、異なる値に対応する可能性がある。
【００５１】
例えば、本実施例の時間調整量Ｍは、端末がアップリンクスケジューリング情報を受信した後に、ｍ個の伝送時間間隔を遅らせてアップリンクデータを送信すると指示することに用いられる。この場合、図３に示すように、ＴＴＩｎを、端末がアップリンクスケジューリング情報を受信する伝送時間間隔とすると、アップリンクデータ送信の理論伝送時間間隔を、ＴＴＩｎ＋ｍと特定する。当該ＴＴＩｎ＋ｍは、基地局側から通知される理論上の伝送時間間隔である。実際に、端末側は、経路での伝送にかかる時間を考慮する必要があり、ＴＴＩｘ＝ｎ＋ｍを基に１つのＴＡより先にアップリンクデータを送信する。図３によると、基地局と端末の距離がＤ１であり、信号伝送経路の合計が２Ｄ１であり、端末が最終的に実際に送信する伝送時間間隔は、２Ｄ１の経路での伝送にかかる伝送時間間隔が加算される。
【００５２】
また、例えば、本実施例の時間調整量Ｍは、端末が、現在のＬＴＥシステムで定義されているアップリンクデータ送信の伝送時間間隔を基にｍ個の伝送時間間隔を遅らせて前記アップリンクデータを送信すると指示することに用いられる。この場合、ＵＥでＦＤＤ通信方式が用いられ、ＴＴＩｎを、端末がアップリンクスケジューリング情報を受信する伝送時間間隔とすると、端末からアップリンクデータを送信する理論伝送時間間隔は、ＴＴＩｎ＋４＋ｍである。同様に、経路での伝送にかかる時間を考慮し、図４に示すように、端末が実際にアップリンクデータを送信する伝送時間間隔は、理論伝送時間間隔ＴＴＩｎ＋４＋ｍを基に１つのＴＡ（２Ｄ１経路での伝送にかかる時間）が加算される。または、ＵＥでＴＤＤ通信方式が用いられ、ＴＴＩｎを、端末がアップリンクスケジューリング情報を受信する伝送時間間隔とすると、最終的にアップリンクデータを遅らせて送信する理論伝送時間間隔は、ＴＴＩｎ＋Ｋ＋ｍである（ｋは、一定の値であり、ＴＤＤに用いられるアップリンク／ダウンリンク構成に対応し、背景技術を参照する。）。図５に示すように、伝送経路にかかる時間の影響を考慮し、端末が実際に当該アップリンクデータを送信する伝送時間間隔は、当該理論伝送時間間隔ＴＴＩｎ＋Ｋ＋ｍを基に１つのＴＡ（２Ｄ１経路での伝送にかかる時間）が加算される。
【００５３】
明らかに、上記記載によれば、本実施例の時間調整量Ｍの定義やｍの値の大きさに関わらず、端末が当該時間調整量Ｍに基づいてアップリンクデータ送信の理論伝送時間間隔を特定できる技術手段は、いずれも本開示に保護される手段に属するべきである。
【００５４】
また、実際の応用において、本実施例のアップリンク信号は、端末が、基地局からダウンリンクスケジューリング情報およびダウンリンクデータを受信した後に、基地局にフィードバックするダウンリンクデータの肯定応答ＡＣＫまたは否定応答ＮＡＣＫであってもよい。
【００５５】
すなわち、全体的伝送プロセスにおいて、まず基地局から端末にダウンリンクスケジューリング情報およびダウンリンクデータを送信し、端末が当該ダウンリンクスケジューリング情報を受信すると、当該ダウンリンクスケジューリング情報からＡＣＫまたはＮＡＣＫ送信のスケジューリング情報を抽出し、それから当該スケジューリング情報に基づいてＡＣＫまたはＮＡＣＫを基地局に送信する。明らかに、当該プロセスの伝送経路は、基地局→端末→基地局である。したがって、対応するタイミングアドバンスＴＡは、基地局から端末へのダウンリンクスケジューリング情報伝送にかかる時間と、端末から基地局へのＡＣＫまたはＮＡＣＫ伝送にかかる時間との和である。
【００５６】
対応して、基地局は、上記ＴＡの値に基づいて、端末から前記アップリンクデータを送信する時間調整量Ｐを特定する。当該時間調整量Ｐは、ｐ（正整数）個の伝送時間間隔を示す。
【００５７】
その後、基地局は、当該時間調整量Ｐを示す調整情報をダウンリンクスケジューリング情報で端末に送信する。よって、端末は、当該ダウンリンクスケジューリング情報を受信すると、調整情報の中の時間調整量ＭおよびＴＡに基づいて、ＡＣＫまたはＮＡＣＫを送信する。
【００５８】
なお、本実施例において、時間調整量Ｐは、端末がＡＣＫまたはＮＡＣＫ送信時間を特定することに用いられる。実際の応用において、本実施例の時間調整量Ｐは、その意味が異なれば、異なる値に対応する可能性がある。
【００５９】
例えば、本実施例の時間調整量Ｐは、端末がダウンリンクスケジューリング情報を受信した後に、ｐ個の伝送時間間隔を遅らせてＡＣＫまたはＮＡＣＫを送信すると指示することに用いられる。すると、ＴＴＩｎを、端末がアップリンクスケジューリング情報を受信する伝送時間間隔とすると、アップリンクデータ送信の理論伝送時間間隔は、ＴＴＩｎ＋ｐである。
【００６０】
または、例えば、本実施例の時間調整量Ｐは、端末が、現在のＬＴＥシステムで定義されているアップリンクデータ送信の伝送時間間隔を基にｐ個の伝送時間間隔を遅らせて前記肯定応答または否定応答を送信すると指示することに用いられる。ＵＥでＦＤＤ通信方式が用いられ、ＴＴＩｎを、端末がアップリンクスケジューリング情報を受信する伝送時間間隔とすると、アップリンクデータ送信の理論伝送時間間隔は、ＴＴＩｘ＝ｎ＋ｋ＋ｐである（ｋは、一定の値であり、ＴＤＤに用いられるアップリンク／ダウンリンク構成に対応する。）。
【００６１】
以上の記載によれば、端末が実際に肯定応答または否定応答を送信する伝送時間間隔は、理論上の肯定応答または否定応答の伝送時間間隔より、１つのＴＡより先である。
【００６２】
同様に、本実施例の時間調整量Ｐの定義やｐの値の大きさに関わらず、端末が当該時間調整量Ｐに基づいてアップリンクデータ送信の理論伝送時間間隔を特定できる技術手段は、いずれも本開示に保護される手段に属するべきである。
【００６３】
一方、上記基地局側のタイミングシーケンス調整方法に対応し、本開示の別の実施例の端末側のタイミングシーケンス調整方法は、図６に示すように、端末が、基地局からアップリンクスケジューリング情報またはダウンリンクスケジューリング情報を受信するステップ６１と、端末が、前記アップリンクスケジューリング情報またはダウンリンクスケジューリング情報に含まれるアップリンク信号の送信時間調整情報に基づいて、アップリンク信号を送信するステップ６２とを含む。
【００６４】
明らかに、本実施例の端末側のタイミングシーケンス調整方法は、基地局側のタイミングシーケンス調整方法に応用されるものであるため、当該基地局側のタイミングシーケンス調整方法に基づいて、当該基地局側のタイミングシーケンス調整方法と同じ効果を奏することができる。
【００６５】
例示的に、本実施例のアップリンク信号は、端末が、基地局からアップリンクスケジューリング情報を受信した後に、当該アップリンクスケジューリング情報に応答するべく、基地局に送信するアップリンクデータを含む。すると、上記ステップ６１において、端末は、基地局から送信されるアップリンクスケジューリング情報に基づいて、アップリンクデータの送信時間調整情報を取得し、当該調整情報から、アップリンクデータを送信する時間調整量Ｍを特定する。ここで、時間調整量Ｍは、ｍ個の伝送時間間隔を示す。対応して、ステップ６２において、端末は、時間調整量Ｍに基づいて、アップリンクスケジューリングメッセージを受信した後に、ｍ個の伝送時間間隔を遅らせて前記アップリンクデータを送信し、または、時間調整量Ｍに基づいて、現在のＬＴＥシステムで定義されているアップリンクデータ送信の伝送時間間隔を基にｍ個の伝送時間間隔を遅らせて前記アップリンクデータを送信する。
【００６６】
例えば、端末は、時間調整量Ｍに基づいて、アップリンクスケジューリング情報を受信した後に、ｍ個の伝送時間間隔を遅らせて前記アップリンクデータを送信する。ＴＴＩｎを、端末がアップリンクスケジューリング情報を受信する伝送時間間隔とすると、対応的に理論伝送時間間隔は、ＴＴＩｎ＋ｍである。実際に、端末は、さらにＴＡを考慮してアップリンクデータを送信する必要がある。したがって、最終的に実際にアップリンクデータを送信する伝送時間間隔は、理論伝送時間間隔ＴＴＩｎ＋ｍを基に、１つのＴＡより先である。
【００６７】
または、例えば、端末が、時間調整量Ｍに基づいて、現在のＬＴＥシステムで定義されているアップリンクデータ送信の伝送時間間隔を基にｍ個の伝送時間間隔を遅らせて前記アップリンクデータを送信する。ＵＥでＦＤＤ通信方式が用いられる場合、アップリンクデータ送信の理論伝送時間間隔は、ＴＴＩｘ＝ｎ＋４＋ｍである。実際に、アップリンクデータ送信の伝送時間間隔は、ＴＴＩｘ＝ｎ＋４＋ｍを基に、１つのＴＡより先である。ＵＥでＴＤＤ通信方式が用いられる場合、アップリンクデータ送信の理論伝送時間間隔は、ＴＴＩｘ＝ｎ＋ｋ＋ｍ（ｋは、一定の値であり、ＴＤＤに用いられるアップリンク／ダウンリンク構成に対応する。）。実際に、アップリンクデータ送信の伝送時間間隔は、ＴＴＩｘ＝ｎ＋４＋ｍを基に、１つのＴＡより先である。
【００６８】
また、別の例において、本実施例のアップリンク信号は、端末が、基地局からダウンリンクスケジューリング情報およびダウンリンクデータを受信した後に、当該ダウンリンクスケジューリング情報に応答するべく、基地局に送信する前記ダウンリンクデータ受信の肯定応答ＡＣＫまたは否定応答ＮＡＣＫを含む。対応して、上記ステップ６１において、端末は、基地局から送信されるダウンリンクスケジューリング情報に基づいて、肯定応答または否定応答の送信時間調整情報を取得し、当該調整情報から、肯定応答または否定応答を送信する時間調整量Ｐを特定する。対応して、上記ステップ６２において、端末は、時間調整量Ｐに基づいて、ダウンリンクスケジューリングメッセージを受信した後に、ｐ個の伝送時間間隔を遅らせて前記肯定応答または否定応答を送信し、または、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信する（その原理は、上述した時間調整量Ｍに対応する方法とは同一であるため、本文において例示して繰り返して記載しない）。
【００６９】
以下、基地局側と端末側のタイミングシーケンス調整方法を組み合わせ、本開示のタイミングシーケンス調整方法のいくつかの実現方式を詳細に紹介する。
実現方式１
【００７０】
本実現方式１は、端末（ＵＥ）にＦＤＤ通信方式が用いられることを例とし、端末のデータ処理にかかる時間が、短縮ＴＴＩが短くなることにつれて比例的に短くなるとする。
【００７１】
仮に端末は、ＴＴＩｎでダウンリンクスケジューリング情報およびダウンリンクデータを受信した後に、ＴＴＩｎ＋４でダウンリンクデータのＡＮＫ／ＮＡＣＫを送信し、端末によるダウンリンクスケジューリング情報およびダウンリンクデータ受信とアップリンク信号送信との間には、３つのＴＴＩを必要とする。
【００７２】
ＬＴＥシステムのＦＤＤのスケジューリングシーケンスと類似するように、さらに１つのＴＴＩの長さが２つのＯＦＤＭシンボルであり、端末（ＵＥ）から基地局までの伝送遅延が２つのＯＦＤＭシンボルであり、ＴＡの長さが４つのＯＦＤＭシンボルの時間領域の長さ（すなわち２つの短縮ＴＴＩ）であり、長さが約０．２８５ｍｓであると仮定する。
【００７３】
基地局は、ＴＡを把握すると、ＵＥに対し、短縮ＴＴＩ構成ではＡＣＫ／ＮＡＣＫの送信ができるかを判断する。例示的に、下記のように判断プロセスを紹介する。基地局は、ＴＡと所定閾値ＴＡ１を比較し、ＴＡ＞ＴＡ１の場合、ＡＣＫ／ＮＡＣＫ送信時間を調整する必要があるが、それ以外の場合、調整を必要とせず、現在のＬＴＥシステムで定義されているスケジューリングシーケンスでＡＣＫ／ＮＡＣＫをフィードバックする。
【００７４】
実際の応用において、ＵＥは、長さの異なるＴＴＩを用いる。本実施例において、長さの異なるＴＴＩに対し、それぞれＴＡ１を設定する。例えば、短縮ＴＴＩでは、端末の処理時間が少なく、対応するＴＡ１の値も相対的に小さい。このような方式では、本実施例は、端末に対し、合理的な評価基準で、現在のＴＴＩではＡＣＫ／ＮＡＣＫ送信ができるかを判断することができる。
【００７５】
明らかに、本実施例において、ＴＡがＴＡ１より大きい。したがって、基地局は、端末が現在のＬＴＥシステムで定義されているスケジューリングシーケンスでＡＣＫ／ＮＡＣＫを送信することができないと特定すると、送信時間の調整を行い、すなわち、１つの時間調整量Ｐを特定し、ダウンリンクスケジューリング情報で時間調整量Ｐを端末に送信する。
【００７６】
仮に本実現方式において、時間調整量Ｐは、端末が、ＬＴＥシステムで定義されている前記肯定応答または否定応答送信の伝送時間間隔を基にｐ個の伝送時間間隔を遅らせてダウンリンクデータのＡＣＫ／ＮＡＣＫを送信すると指示すると、ｐは、２であり、ＴＡとは一致する。
【００７７】
ＵＥがダウンリンクスケジューリング情報およびダウンリンクデータを受信すると、基地局は、ＴＴＩｎ＋４でダウンリンクデータのＡＣＫ／ＮＡＣＫフィードバックを受信すると同時に、ダウンリンクスケジューリング情報の時間調整量Ｐに基づいて、ＡＣＫ／ＮＡＣＫの理論伝送時間間隔をＴＴＩｎ＋４＋２と特定し、当該理論伝送時間間隔をＴＴＩｎ＋４＋２としてＡＣＫ／ＮＡＣＫ送信を完成する。
【００７８】
または、仮に本実現方式において、時間調整量Ｐは、端末が、ダウンリンクスケジューリング情報を受信した後に、ｐ個の伝送時間間隔を遅らせてＡＣＫ／ＮＡＣＫを送信すると指示すると、ｐは、６である。ＵＥは、ダウンリンクスケジューリング情報を受信すると、関連処理には３つのＴＴＩの時間がかかり、同時に当該ダウンリンクスケジューリング情報の時間調整量Ｐから、ＡＣＫ／ＮＡＣＫの理論伝送時間間隔をＴＴＩｎ＋６と特定し、理論伝送時間間隔のＴＴＩｎ＋６に基づいてＡＣＫ／ＮＡＣＫ送信を完成する。
【００７９】
上記２つの時間調整量Ｐの定義を比較すると、端末が最終的にＡＣＫ／ＮＡＣＫを遅らせて送信する時間が同じであることが分かる。
実現方式２
【００８０】
本実現方式２は、ＵＥにＦＤＤ通信方式が用いられることを例とし、端末のデータ処理にかかる時間が、短縮ＴＴＩが短くなることにつれて比例的に短くなるとする。
【００８１】
仮に端末は、サブフレームＴＴＩｎでアップリンクスケジューリング情報を受信し、ＴＴＩｎ＋４でアップリンクデータを送信し、かつ、端末によるダウンリンクスケジューリング情報およびダウンリンクデータ受信とアップリンク信号送信との間には、３つのＴＴＩを必要とする。
【００８２】
ＬＴＥシステムのＦＤＤのスケジューリングシーケンスと類似するように、さらに短縮ＴＴＩの長さが２つのＯＦＤＭシンボルであり、端末（ＵＥ）から基地局までの伝送遅延が２つのＯＦＤＭシンボルであり、ＴＡの長さが４つのＯＦＤＭシンボルの時間領域の長さ（すなわち２つの短縮ＴＴＩ）であり、長さが約０．２８５ｍｓであると仮定する。
【００８３】
基地局は、ＴＡを把握すると、ＵＥに対し、当該長さのＴＴＩではアップリンクデータの送信ができるかを判断する。
【００８４】
本実現方式において、基地局は、端末が現在のＬＴＥシステムで定義されているスケジューリングシーケンスでアップリンクデータを送信することができないと特定すると、送信時間の調整を行い、すなわち、１つの時間調整量Ｍを特定して、アップリンクスケジューリング情報で時間調整量Ｍを端末に送信する。
【００８５】
仮に本実現方式において、時間調整量Ｍは、端末が、現在のＬＴＥシステムで定義されているアップリンクデータ送信の時間間隔を基にｍ個の伝送時間間隔を遅らせてアップリンクデータを送信すると指示すると、ｍは、２であり、ＴＡとは一致する。
【００８６】
ＵＥがアップリンクスケジューリング情報を受信すると、関連処理には３つのＴＴＩの時間がかかるとする。端末は、アップリンクスケジューリング情報の時間調整量ｍに基づいて、アップリンクデータの理論伝送時間間隔をＴＴＩｎ＋４＋２と特定し、当該理論伝送時間間隔のＴＴＩｎ＋４＋２に基づいて、アップリンクデータ送信を完成する。
【００８７】
または、仮に本実現方式において、時間調整量Ｍは、端末が、アップリンクスケジューリング情報を受信した後に、ｍ個の伝送時間間隔を遅らせて前記アップリンクデータを送信すると指示すると、ｍは、６である。ＵＥは、アップリンクスケジューリング情報を受信すると、関連処理には３つのＴＴＩの時間がかかる。ＵＥは、当該アップリンクスケジューリング情報の時間調整量ｍから、アップリンクデータの理論伝送時間間隔をＴＴＩｎ＋６と特定し、理論伝送時間間隔のＴＴＩｎ＋６に基づいてアップリンクデータ送信を完成する。
実現方式３
【００８８】
実現方式３は、ＵＥにＴＤＤ通信方式が用いられることを例とし、端末のデータ処理にかかる時間が、短縮ＴＴＩが短くなることにつれて比例的に短くなるとする。端末によるダウンリンクスケジューリングＤＣＩおよびダウンリンクデータ受信とダウンリンクデータのＡＣＫ／ＮＡＣＫ送信との間には、３つのＴＴＩを必要とする。
【００８９】
ＴＤＤにおいて、異なるサブフレームで１つの無線フレーム内のアップリンクサブフレームとダウンリンクサブフレームの構成数が異なるため、端末のデータ処理時間を考慮するほかに、サブフレーム構成も考慮に入れる必要がある。すなわち、ダウンリンクスケジューリグ情報において、基地局は、端末のデータ処理にかかる時間、実際のＴＡおよびサブフレーム構成に基づいて、ダウンリンクデータのＡＣＫ／ＮＡＣＫフィードバック時間を指示する。
【００９０】
サブフレームが表１の構成番号１を用いることを例とする。仮にサブフレームの短縮ＴＴＩの長さが２つのＯＦＤＭシンボルであり、かつ端末は、ダウンリンクスケジューリング情報およびダウンリンクデータを受信した後に、データを処理するには最小３つの短縮ＴＴＩの時間を必要とする。仮にＴＡの長さが４つのＯＦＤＭシンボルの時間領域の長さ（すなわち２つの短縮ＴＴＩ）であり、端末は、サブフレーム０の１つ目の利用可能なＴＴＩｎ（ｎ＝１）でダウンリンクスケジューリグ情報およびダウンリンクデータを受信する。ＴＡおよび端末のデータ処理時間に基づいて、端末は、短縮ＴＴＩｎ＋６でダウンリンクＡＣＫ／ＮＡＣＫをフィードバックする。短縮ＴＴＩｎ＋６＝１＋６＝７がサブフレーム１に位置するため、サブフレーム１は、スペシャルサブフレームである。この期間ＴＴＩ７に対応する位置は、ＤｗＰＴＳであり、アップリンクチャネルの伝送ができない。したがって、本実施例において、時間調整量Ｐの値は、最終的にＡＣＫ／ＮＡＣＫを遅らせて送信する時間間隔がアップリンクサブフレームに位置すると考慮する必要がある。
【００９１】
例示的に、本実施例の時間調整量Ｐは、ｐ＝１３個の時間間隔を含み、端末がダウンリンクスケジューリング情報を受信した後、計１３個のＴＴＩを遅らせることを示す。すると、端末は、最終的にＡＣＫ／ＮＡＣＫを送信する時間間隔は、ＴＴＩｎ＋１３となり、当該ＴＴＩｎ＋１３は、１つのアップリンクサブフレームに対応する。
実現方式４
【００９２】
実現方式４は、ＵＥにＴＤＤ通信方式が用いられることを例とし、端末のデータ処理にかかる時間が、短縮ＴＴＩが短くなることにつれて比例的に短くなるとする。端末は、アップリンクスケジューリングを受信した後に、関連処理には３つのＴＴＩの時間がかかる。ＴＤＤにおいて、異なるサブフレームで１つの無線フレーム内のアップリンクサブフレームとダウンリンクサブフレームの構成数が異なるため、端末のデータ処理時間を考慮するほかに、サブフレーム構成も考慮に入れる必要がある。
【００９３】
すなわち、アップリンクスケジューリグ情報において、基地局は、端末のデータ処理にかかる時間、実際のＴＡおよびサブフレーム構成に基づいて、アップリンクデータ伝送の短縮ＴＴＩを指示する。
【００９４】
サブフレームが表１の構成番号１を用いることを例とする。仮にサブフレームの短縮ＴＴＩの長さが２つのＯＦＤＭシンボルであり、かつ端末は、アップリンクスケジューリング情報を受信した後に、データを処理するには最小３つの短縮ＴＴＩの時間を必要とする。ＴＡの長さが４つのＯＦＤＭシンボルの時間領域の長さ（すなわち２つの短縮ＴＴＩ）であり、端末は、サブフレーム０の１つ目の利用可能なＴＴＩｎ（ｎ＝１）でアップリンクスケジューリグ情報を受信する。ＴＡおよび端末のデータ処理時間に基づいて、端末は、短縮ＴＴＩｎ＋６でアップリンクデータを伝送する。
【００９５】
しかし、短縮ＴＴＩｎ＋６＝１＋６＝７がサブフレーム１に位置し、サブフレーム１がスペシャルサブフレームであるため、この期間ＴＴＩ７に対応する位置は、ＤｗＰＴＳであり、アップリンクチャネルの伝送ができない。したがって、本実施例において、ｍの値は、端末が最終的にアップリンクデータを送信する時間間隔がアップリンクサブフレームに位置すると考慮する必要がある。
【００９６】
例示的に、本実施例の時間調整量Ｍは、ｍ＝１３個の時間間隔を含み、端末がダウンリンクスケジューリング情報を受信した後、計１３個のＴＴＩを遅らせることを示す。すると、端末は、最終的にＡＣＫ／ＮＡＣＫを送信する時間間隔は、ＴＴＩｎ＋１３となり、当該ＴＴＩｎ＋１３は、１つのアップリンクサブフレームに対応する。
【００９７】
なお、上記実現方式１〜実現方式４は、単に時間領域の長さが２つのＯＦＤＭシンボルである短縮ＴＴＩを例としたが、短縮ＴＴＩの時間領域の長さは、７つのＯＦＤＭシンボルまたは３つのＯＦＤＭシンボルまたは４つのＯＦＤＭシンボルであってもよい。端末がダウンリンクスケジューリング情報およびダウンリンクデータまたはアップリンクスケジューリング情報を受信した後のデータ処理時間は、例えば５つの短縮ＴＴＩなど、ほかの時間に定義されてもよい。前記処理時間は、端末の能力に関係し、本開示では限定しない。また、本開示において、基地局が現在のＴＡ、ＴＴＩでどのように端末のアップリンク信号送信可否を判断するかについても限定しない。
【００９８】
対応して、本開示の実施例の基地局は、図７に示すように、端末のタイミングアドバンスを特定することに用いられる特定モジュールと、前記タイミングアドバンスに基づいて、端末のアップリンク信号の送信時間を調整することに用いられる調整モジュールとを含む。
【００９９】
本実施例の基地局は、端末の実際のＴＡの値に基づいて、端末のアップリンク信号送信時間を動的に調整することによって、端末が充分なデータ処理時間を合理的に取得できるようにし、端末自身の処理力不足によりアップリンク信号送信ができない問題を避ける。
【０１００】
具体的に、本開示の特定モジュールは、前記タイミングアドバンスに基づいて、端末の前記アップリンク信号の送信時間を遅らせることができる。
【０１０１】
以下、アップリンク信号を遅らせることを詳細に記載する。
【０１０２】
例示的に、本実施例のアップリンク信号は、端末が、基地局からアップリンクスケジューリング情報を受信した後に、当該アップリンクスケジューリング情報に応答するべく、基地局に送信するアップリンクデータを含む。前記調整モジュールは、基地局から送信されるダウンリンクスケジューリング情報に基づいて、肯定応答または否定応答の送信時間調整情報を取得し、当該調整情報から、前記肯定応答または否定応答を送信する時間調整量Ｐを特定することに用いられる第２受信サブモジュールを含む。ここで、前記時間調整量Ｐは、ｐ個の伝送時間間隔を示す。前記調整モジュールは、端末がアップリンクデータを送信する前に充分な時間でデータを処理するよう、前記タイミングアドバンスに基づいて、端末が前記アップリンクスケジューリング情報を受信した後にアップリンクデータを送信する伝送時間間隔を調整することに用いられる第１調整サブモジュールを含む。
【０１０３】
具体的に、以上の記載を踏まえ、本実施例の第１調整サブモジュールは、さらに、端末から前記アップリンクデータを送信する時間調整量Ｍを特定することに用いられる第１特定ユニットと、前記時間調整量Ｍを含む調整情報を前記アップリンクスケジューリング情報で端末に送信することに用いられる第１送信ユニットとを含む。前記時間調整量Ｍは、ｍ（正整数）個の伝送時間間隔を示し、端末が前記アップリンクスケジューリング情報を受信した後に、ｍ個の伝送時間間隔を遅らせて前記アップリンクデータを送信し、または、端末が現在のＬＴＥシステムで定義されている前記アップリンクデータ送信の伝送時間間隔を基にｍ個の伝送時間間隔を遅らせて前記アップリンクデータを送信することを示す。
【０１０４】
別の例として、本実施例のアップリンク信号は、端末が、基地局からダウンリンクスケジューリング情報およびダウンリンクデータを受信した後に、当該ダウンリンクスケジューリング情報に応答すべく、基地局に送信する前記ダウンリンクデータの肯定応答または否定応答を含む。前記調整モジュールは、端末が前記肯定応答または否定応答を送信する前に充分な時間でデータを処理するよう、前記タイミングアドバンスに基づいて、端末が前記肯定応答または否定応答を送信する伝送時間間隔を調整することに用いられる第２調整サブモジュールを含む。
【０１０５】
具体的に、以上の記載を踏まえ、本実施例の第２調整サブモジュールは、さらに、端末から前記肯定応答または否定応答を送信する時間調整量Ｐを特定することに用いられる第２特定ユニットと、前記時間調整量Ｐを含む調整情報を前記ダウンリンクスケジューリング情報で端末に送信することに用いられる第２送信ユニットとを含む。前記時間調整量Ｐは、ｐ（正整数）個の伝送時間間隔を示し、端末が前記ダウンリンクスケジューリング情報を受信した後に、ｐ個の伝送時間間隔を遅らせて前記肯定応答または否定応答を送信し、または、端末が現在のＬＴＥシステムで定義されている前記肯定応答または否定応答送信の伝送時間間隔を基にｐ個の伝送時間間隔を遅らせて前記肯定応答または否定応答を送信することを示す。
【０１０６】
明らかに、本実施例の基地局は、本開示の基地局側に応用されるタイミングシーケンス調整方法に対応し、同一の技術効果を奏することができる。
【０１０７】
対応して、本開示の別の実施例の端末は、図８に示すように、基地局によって調整されたアップリンク信号の送信時間を特定することに用いられる受信モジュールと、基地局によって調整されたアップリンク信号の送信時間に基づいて、アップリンク信号を送信することに用いられる送信モジュールとを含む。
【０１０８】
明らかに、本実施例の端末は、基地局側のタイミングシーケンス調整方法に応用されるものであるため、当該基地局側のタイミングシーケンス調整方法に基づいて、当該基地局側のタイミングシーケンス調整方法と同一の効果を奏することもできる。
【０１０９】
例示的に、本実施例のアップリンク信号は、端末が、基地局からアップリンクスケジューリング情報を受信した後に、当該アップリンクスケジューリング情報に応答するべく、基地局に送信するアップリンクデータを含む。対応して、前記受信モジュールは、基地局から送信されるアップリンクスケジューリング情報に基づいて、アップリンクデータの送信時間調整情報を取得し、当該調整情報から、前記アップリンクデータを送信する時間調整量Ｍを特定することに用いられる第１受信サブモジュールを含む。ここで、前記時間調整量Ｍは、ｍ個の伝送時間間隔を示す。前記送信サブモジュールは、前記時間調整量Ｍに基づいて、前記アップリンクスケジューリングメッセージを受信した後に、ｍ個の伝送時間間隔を遅らせて前記アップリンクデータを送信し、または、前記時間調整量Ｍに基づいて、現在のＬＴＥシステムで定義されているアップリンクデータ送信の伝送時間間隔を基にｍ個の伝送時間間隔を遅らせて前記アップリンクデータを送信することに用いられる第１送信サブモジュールを含む。
【０１１０】
具体的に、本実施例の第１送信サブモジュールは、前記第１取得モジュールが前記アップリンクスケジューリングメッセージを受信した後に、前記時間調整量ＭおよびＴＡに基づいて、前記アップリンクデータを送信する。
【０１１１】
また、別の例として、本実施例のアップリンク信号は、端末が、基地局からダウンリンクスケジューリング情報およびダウンリンクデータを受信した後に、当該ダウンリンクスケジューリング情報に応答すべく、基地局に送信する前記ダウンリンクデータの肯定応答または否定応答を含む。対応して、前記受信モジュールは、さらに、基地局から送信されるダウンリンクスケジューリング情報に基づいて、肯定応答または否定応答の送信時間調整情報を取得し、当該調整情報から、前記肯定応答または否定応答を送信する時間調整量Ｐを特定することに用いられる第２受信サブモジュールを含む。ここで、前記時間調整量Ｐは、ｐ個の伝送時間間隔を示す。前記送信サブモジュールは、さらに、前記時間調整量Ｐに基づいて、前記ダウンリンクスケジューリングメッセージを受信した後に、ｐ個の伝送時間間隔を遅らせて前記肯定応答または否定応答を送信し、または、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信することに用いられる第２送信サブモジュールを含む。
【０１１２】
具体的に、本実施例の前記第２送信サブモジュールは、前記第２取得モジュールが前記ダウンリンクスケジューリングメッセージを受信した後に、前記時間調整量ＰおよびＴＡに基づいて、前記ダウンリンクデータの肯定応答または否定応答を送信する。
【０１１３】
明らかに、本実施例の端末は、本開示の端末側に応用されるタイミングシーケンス調整方法に対応し、同一の技術効果を奏することができる。
【０１１４】
また、本開示は、上記基地局および上記端末を含む通信システムを提供する。明らかに、本開示の基地局と端末に基づき、当該通信システムは、短縮ＴＴＩ構成であっても、依然として基地局から遠い端末がアップリンク信号を正しく送信することを保証し、かつ現在のＴＡのタイミングシーケンス要求を満たす。
【０１１５】
以上の記載は、本開示の好ましい実施形態である。なお、当業者にとって、本開示に記載した原理を逸脱することなくいくつかの改良や修飾を行うこともできる。これらの改良や修飾も、本開示の保護範囲として見なされるべきである。
【図１】
2019527997.tif 000006
【図２】
2019527997.tif 000007
【図３】
2019527997.tif 000008
【図４】
2019527997.tif 000009
【図５】
2019527997.tif 000010
【図６】
2019527997.tif 000011
【図７】
2019527997.tif 000012
【図８】
2019527997.tif 000013
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
基地局が、端末のタイミングアドバンスを特定することと、
基地局が、前記タイミングアドバンスに基づいて、端末のアップリンク信号の送信時間を調整することとを含むタイミングシーケンス調整方法。
【請求項２】
前記アップリンク信号は、
端末が、基地局からアップリンクスケジューリング情報を受信した後に、前記アップリンクスケジューリング情報に応答するべく、基地局に送信するアップリンクデータを含み、
基地局が、前記タイミングアドバンスに基づいて、端末のアップリンク信号の送信時間を調整することは、
端末がアップリンクデータを送信する前に充分な時間でデータを処理するよう、基地局が、前記タイミングアドバンスに基づいて、端末が前記アップリンクスケジューリング情報を受信した後にアップリンクデータを送信する伝送時間間隔を調整することを含む請求項１に記載のタイミングシーケンス調整方法。
【請求項３】
前記アップリンク信号は、
端末が、基地局からダウンリンクスケジューリング情報およびダウンリンクデータを受信した後に、基地局にフィードバックする前記ダウンリンクデータの肯定応答または否定応答を含み、
基地局が、前記タイミングアドバンスに基づいて、端末の肯定応答または否定応答の送信時間を調整することは、
端末が前記肯定応答または否定応答を送信する前に充分な時間でデータを処理するよう、基地局が、前記タイミングアドバンスに基づいて、端末から前記肯定応答または否定応答を送信する伝送時間間隔を調整することを含む請求項１に記載のタイミングシーケンス調整方法。
【請求項４】
基地局が、端末のアップリンクデータの送信時間を調整することは、
基地局が、端末から前記アップリンクデータを送信する時間調整量Ｍを特定することと、
基地局が、前記時間調整量Ｍを含む調整情報を前記アップリンクスケジューリング情報で端末に送信することとを含み、
前記時間調整量Ｍは、ｍ（正整数）個の伝送時間間隔を示し、端末が前記アップリンクスケジューリング情報を受信した後に、ｍ個の伝送時間間隔を遅らせて前記アップリンクデータを送信し、または、端末が現在のＬＴＥシステムで定義されているアップリンクデータ送信の伝送時間間隔を基にｍ個の伝送時間間隔を遅らせて前記アップリンクデータを送信することを示す請求項２に記載のタイミングシーケンス調整方法。
【請求項５】
基地局が、端末の前記肯定応答または否定応答の送信時間を調整することは、
基地局が、端末から前記肯定応答または否定応答を送信する時間調整量Ｐを特定することと、
基地局が、前記時間調整量Ｐを含む調整情報を前記ダウンリンクスケジューリング情報で端末に送信することとを含み、
前記時間調整量Ｐは、ｐ（正整数）個の伝送時間間隔を示し、端末が前記ダウンリンクスケジューリング情報を受信した後に、ｐ個の伝送時間間隔を遅らせて前記肯定応答または否定応答を送信し、または、端末が現在のＬＴＥシステムで定義されている前記肯定応答または否定応答送信の伝送時間間隔を基にｐ個の伝送時間間隔を遅らせて前記肯定応答または否定応答を送信することを示す請求項３に記載のタイミングシーケンス調整方法。
【請求項６】
端末が、基地局からアップリンクスケジューリング情報またはダウンリンクスケジューリング情報を受信することと、
端末が、前記アップリンクスケジューリング情報またはダウンリンクスケジューリング情報に含まれるアップリンク信号の送信時間調整情報に基づいて、アップリンク信号を送信することとを含むタイミングシーケンス調整方法。
【請求項７】
前記アップリンク信号は、
端末が、基地局からアップリンクスケジューリング情報を受信した後に、前記アップリンクスケジューリング情報に応答するべく、基地局に送信するアップリンクデータを含み、
端末が、前記アップリンクデータの送信時間を特定することは、
端末が、基地局から送信されるアップリンクスケジューリング情報に基づいて、アップリンクデータの送信時間調整情報を取得し、前記調整情報から、前記アップリンクデータを送信する時間調整量Ｍを特定することを含み、ここで、前記時間調整量Ｍは、ｍ個の伝送時間間隔を示し、
端末が、アップリンクデータの送信時間調整情報に基づいて、アップリンクデータを送信することは、
端末が、前記時間調整量Ｍに基づいて、前記アップリンクスケジューリング情報を受信した後に、ｍ個の伝送時間間隔を遅らせて前記アップリンクデータを送信し、または、端末が、前記時間調整量Ｍに基づいて、現在のＬＴＥシステムで定義されているアップリンクデータ送信の伝送時間間隔を基にｍ個の伝送時間間隔を遅らせて前記アップリンクデータを送信することを含む請求項６に記載のタイミングシーケンス調整方法。
【請求項８】
端末は、前記アップリンクスケジューリング情報を受信した後に、前記時間調整量ＭおよびＴＡに基づいて、前記アップリンクデータを送信する請求項７に記載のタイミングシーケンス調整方法。
【請求項９】
前記アップリンク信号は、
端末が、基地局からダウンリンクスケジューリング情報およびダウンリンクデータを受信した後に、基地局にフィードバックする前記ダウンリンクデータの肯定応答または否定応答を含み、
端末が、前記肯定応答または否定応答の送信時間調整情報に基づいて、アップリンク信号を送信することは、
端末が、基地局から送信されるダウンリンクスケジューリング情報に基づいて、肯定応答または否定応答の送信時間調整情報を取得し、前記調整情報から、前記肯定応答または否定応答を送信する時間調整量Ｐを特定することを含み、ここで、前記時間調整量Ｐは、ｐ個の伝送時間間隔を示し、
端末が、肯定応答または否定応答の送信時間調整情報に基づいて、アップリンク信号を送信することは、
端末が、前記時間調整量Ｐに基づいて、前記ダウンリンクスケジューリング情報を受信した後に、ｐ個の伝送時間間隔を遅らせて前記肯定応答または否定応答を送信し、または、端末が、前記時間調整量Ｐに基づいて、現在のＬＴＥシステムで定義されている肯定応答または否定応答送信の伝送時間間隔を基にｐ個の伝送時間間隔を遅らせて前記肯定応答または否定応答を送信することを含む請求項７に記載のタイミングシーケンス調整方法。
【請求項１０】
前記ダウンリンクスケジューリング情報を受信した後に、端末は、前記時間調整量ＰおよびＴＡに基づいて、前記ダウンリンクデータの肯定応答または否定応答を送信する請求項９に記載のタイミングシーケンス調整方法。
【請求項１１】
端末のタイミングアドバンスを特定することに用いられる特定モジュールと、
前記タイミングアドバンスに基づいて、端末のアップリンク信号の送信時間を調整することに用いられる調整モジュールとを含む請求項1〜５のいずれか一項に記載のタイミングシーケンス調整方法を実行するための基地局。
【請求項１２】
基地局からアップリンクスケジューリング情報またはダウンリンクスケジューリング情報を受信することに用いられる受信モジュールと、
前記アップリンクスケジューリング情報またはダウンリンクスケジューリング情報に含まれるアップリンク信号の送信時間調整情報に基づいて、アップリンク信号を送信することに用いられる送信モジュールとを含む請求項６〜１０のいずれか一項に記載のタイミングシーケンス調整方法を実行するための端末。
【請求項１３】
請求項１１に記載の基地局および請求項１２に記載の端末を含む通信システム。
【請求項１４】
プロセッサと、
バスインタフェースを介して前記プロセッサに接続され、前記プロセッサによる操作実行に用いられるプログラムとデータを記憶するために用いられるメモリと、
伝送媒体で各種類の他機器と通信することに用いられるトランシーバとを含む基地局において、
前記プロセッサが、前記メモリに格納されているプログラムとデータを呼び出して実行すると、
端末のタイミングアドバンスを特定することと、
前記タイミングアドバンスに基づいて、端末のアップリンク信号の送信時間を調整することとを実行する基地局。
【請求項１５】
プロセッサと、
バスインタフェースを介して前記プロセッサに接続され、前記プロセッサによる操作実行に用いられるプログラムとデータを記憶するために用いられるメモリと、
伝送媒体で各種類の他機器と通信することに用いられるトランシーバとを含む端末において、
前記プロセッサが、前記メモリに格納されているプログラムとデータを呼び出して実行すると、
基地局からアップリンクスケジューリング情報またはダウンリンクスケジューリング情報を受信することと、
前記アップリンクスケジューリング情報またはダウンリンクスケジューリング情報に含まれるアップリンク信号の送信時間調整情報に基づいて、アップリンク信号を送信することとを実行する端末。
【国際調査報告】
2019527997.tif 000014
2019527997.tif 000015
2019527997.tif 000016
2019527997.tif 000017